(57)【要約】      （修正有）【課題】押す動作により簡単に片手で操作ができ、構造全体はシンプルで信頼性が高く，利用者がコントロールアクションをする際の使用上の習慣に適合するスノーチェーンに用いられる自動ロック装置を提供する。【解決手段】スノーチェーンはラチェット式ロックバックル１００及び滑り止めチェーン２００を含む。滑り止めチェーンはハスプ１１０及びハウジング１２０の外側にそれぞれ固定され，３つの方向に沿って延びている。ラチェット式ロックバックルは、回転ラチェットの制限歯と噛合する滑固定歯を含み、滑り止めチェーンを自動車のタイヤ上に密着させるのに用いられる。ラチェット式ロックバックルの制御は，側面のリラックス１３０と制限用バックル１６０の２つのボタンを押すという簡単な操作動作により完了する。【選択図】図１
0003218752.tif 000002
【実用新案登録請求の範囲】
【請求項１】
スノーチェーンに用いられる自動ロック装置であって，その特徴は，以下を含むことである：
ハウジングであって，前記ハウジングは前記ハウジングの底部に垂直に設置される第一回転軸と第二回転軸を含むもの；
前記第一回転軸上に嵌設されたエネルギー貯蔵用弾性部材；
回転ラチェットであって，前記回転ラチェットのエッジには制限歯と位置決め歯がそれぞれ設置され，前記回転ラチェットの中心には前記第一回転軸が通過するための軸孔が設置されるもの；
ロックバックルであって，前記ロックバックル上には第二回転軸に適合する貫通孔が設置され，前記ロックバックルの一端は前記制限歯と噛合し，且つ前記回転ラチェットの正回転を制限する固定歯をさらに含むもの；
リラックスボタンであって，前記リラックスボタンの一端は前記ロックバックルの固定歯から離れた一端に当接し，リラックスボタンが押されるとともに前記ロックバックルを駆動して前記回転ラチェットから離脱させるもの；
回転バックルであって，前記回転バックルは前記リラックスボタンの末端と接しており，前記リラックスボタンが押されるとともに前記位置決め歯内に係止され，前記回転ラチェットの逆回転を制限するもの；
リラックスと制限用バックルであって，前記リラックスと制限用バックルは前記リラックスボタンと接しており，前記リラックスと制限用バックルを押す時に，リラックスボタン内部のばねは前記リラックスボタンを駆動してリセットさせるもの。
【請求項２】
請求項１記載のスノーチェーンに用いられる自動ロック装置であって，その特徴は，前記制限歯は前記回転ラチェットの軸方向における上半分に設置され，前記位置決め歯は軸方向の下半分に設置される；前記制限歯と位置決め歯との間には溝が形成されることである。
【請求項３】
請求項１記載のスノーチェーンに用いられる自動ロック装置であって，その特徴は以下のとおりである：前記リラックスボタンの底部と前記回転ラチェットは第一圧縮ばねを介して当接している；
前記回転バックルの先端は第二圧縮ばねを介して前記リラックスボタンの底部に当接している。
【請求項４】
請求項１記載のスノーチェーンに用いられる自動ロック装置であって，その特徴は以下のとおりである：前記ロックバックルは回転ラチェットから離れた第一端及び前記第一端に対向する第二端を含む；前記第二端の回転ラチェットに対向する片側には前記固定歯が設置され，前記第二端の他方の側はヘッドバネを介して前記ハウジングに当接している；
前記貫通孔は前記第一端と第二端との間に設置され，それにより前記ロックバックルを前記第二回転軸の周りに回転させる。
【請求項５】
請求項１記載のスノーチェーンに用いられる自動ロック装置であって，その特徴は以下のとおりである：前記エネルギー貯蔵用弾性部材はスナップフィット結合されたエネルギー貯蔵ばねである；
前記エネルギー貯蔵ばねの両端はそれぞれ前記第一回転軸と前記軸孔の内側側壁に当接している。
【請求項６】
請求項１記載のスノーチェーンに用いられる自動ロック装置であって，その特徴は以下のとおりである：前記ハウジングは上部ハウジングと下部ハウジングを含む；前記上部ハウジングと下部ハウジングはリベットにより固定的に接続され，前記第二回転軸はリベットである；
前記ハウジングには前記回転ラチェットの水平接線の方向に，スチールケーブル出口が形成される。
【請求項７】
請求項１記載のスノーチェーンに用いられる自動ロック装置であって，その特徴は，前記リラックスと制限用バックル及びリラックスボタン上にはシールリングがそれぞれ嵌設されることである。
【請求項８】
請求項１記載のスノーチェーンに用いられる自動ロック装置であって，その特徴は以下のとおりである：スチールケーブルを含む；
前記スチールケーブルの一端が前記回転ラチェットの溝内に固定され，且つ前記回転ラチェットの回転とともに前記回転ラチェットの溝内に巻き付けられて収容される；前記スチールケーブルの他端は前記スチールケーブル出口を通過する。
【考案の詳細な説明】
【技術分野】
【０００１】
本考案は締め付け装置技術分野に関し，特にスノーチェーンに用いられる自動ロック装置に関するものである。
【背景技術】
【０００２】
本装置はスノーチェーンの自給式締め付け装置に適用し，スノーチェーンは自動車タイヤ上に取り付けられ，自動車が雪道で走行するプロセスにおいてタイヤが滑ることを効果的に避ける装置である。
【０００３】
スノーチェーンはクイック・ハスプ装置と対応する滑り止めチェーンを含む。取り付け時に，クイック・ハスプの締め付け機能により，チェーンをロックして自動車タイヤ上に固定する。現在、国際市場および国内市場にもいくつかの滑り止めチェーン用のクイック・ハスプ装置がある。
【０００４】
しかし、これらのハスプ装置には多種の欠陥があり，以下を含む：使用は容易ではないため，使用において滑り止めチェーンの取り付け及び回収と放出も容易ではないもの；滑り止めチェーンの締め具合を自己調整するという機能を実現できないため，車両走行中に発生する滑り止めチェーンのチェーン緩みは潜在的な安全上のリスクをもたらすもの。
【０００５】
ドライバーは安全のコスト問題をますます重視しているに伴って，ドライバーと自動車メーカーは使用されるスノーチェーンにより高い要求を提出し，迅速取り付け及び回収と放出可能で操作が容易なスノーチェーン（雪道用タイヤチェーン）はますます重視されている。
【考案の概要】
【考案が解決しようとする課題】
【０００６】
本考案は上記従来技術の欠点に鑑みてなされたものであり，その目的はスノーチェーンに用いられる自動ロック装置を提供することであり，それにより従来技術におけるスノーチェーンは回収と放出が容易ではなく，且つ締め具合が調整できないという問題を解決する。
【課題を解決するための手段】
【０００７】
上記目的を達成するために，本考案は以下の技術的解決手段を採用する：
スノーチェーンに用いられる自動ロック装置であって，以下を含む：
ハウジングであって，前記ハウジングは前記ハウジングの底部に垂直に設置される第一回転軸と第二回転軸を含むもの；
前記第一回転軸上に嵌設されるエネルギー貯蔵用弾性部材；
回転ラチェットであって，前記回転ラチェットのエッジには制限歯と位置決め歯がそれぞれ設置され，前記回転ラチェットの中心には前記第一回転軸が通過するための軸孔が設置されるもの；
ロックバックルであって，前記ロックバックル上には第二回転軸に適合する貫通孔が設置され，前記ロックバックルの一端には前記制限歯と噛合し，且つ前記回転ラチェットの正回転を制限する固定歯をさらに含むもの；
リラックスボタンであって，前記リラックスボタンの一端は前記ロックバックルの固定歯から離れた一端に当接し，リラックスボタンが押されるとともに前記ロックバックルを駆動して前記回転ラチェットから離脱させるもの；
回転バックルであって，前記回転バックルは前記リラックスボタンの末端と接しており，前記リラックスボタンが押されるとともに前記位置決め歯内に係止され，前記回転ラチェットの逆回転を制限するもの；
リラックスと制限用バックルであって，前記リラックスと制限用バックルは前記リラックスボタンと接しており，前記リラックスと制限用バックルを押す時に，前記リラックスボタンを駆動してリセットさせるもの。
【０００８】
任意選択的に，前記制限歯は前記回転ラチェットの軸方向における上半分に設置され，前記位置決め歯は軸方向の下半分に設置される；前記制限歯と位置決め歯との間には溝が形成される。
【０００９】
任意選択的に，前記リラックスボタンの底部と前記回転ラチェットは第一圧縮ばねを介して当接している；
前記回転バックルの先端は第二圧縮ばねを介して前記リラックスボタンの底部に当接している。
【００１０】
任意選択的に，前記ロックバックルは回転ラチェットから離れた第一端及び前記第一端に対向する第二端を含む；前記第二端の回転ラチェットに対向する片側には前記固定歯が設置され，前記第二端の他方の側はヘッドバネを介して前記ハウジングに当接している；
前記貫通孔は前記第一端と第二端との間に設置され，それにより前記ロックバックルを前記第二回転軸の周りに回転させる。
【００１１】
任意選択的に，前記エネルギー貯蔵用弾性部材はスナップフィット結合されたエネルギー貯蔵ばねである；前記エネルギー貯蔵ばねの両端はそれぞれ前記第一回転軸と前記軸孔の内側側壁に当接している（他端は回転ラチェットの内側に当接している）。
【００１２】
任意選択的に，前記ハウジングは上部ハウジングと下部ハウジングを含む；前記上部ハウジングと下部ハウジングはリベットにより固定的に接続され，前記第二回転軸はリベットである；
前記ハウジングには前記回転ラチェットの水平接線の方向に，スチールケーブル出口が形成される。
【００１３】
任意選択的に，前記リラックスと制限用バックル及びリラックスボタン上にはシールリングがそれぞれ嵌設される。
【００１４】
任意選択的に，スチールケーブルをさらに含む；
前記スチールケーブルの一端は前記回転ラチェットの溝内に固定され，且つ前記回転ラチェットの回転とともに前記回転ラチェットの溝内に巻き付けられて収容される；前記スチールケーブルの他端は前記スチールケーブル出口を通過する。
【００１５】
本考案はスノーチェーンに適用できるが，スノーチェーンに限定されない。使用される場合，スノーチェーンは前述したようなラチェット式ロックバックル、ハスプ、ケーブルスリーブ及び滑り止めチェーンを含む；前記ケーブルスリーブは前記スチールケーブル出口の外側に嵌設される；
前記スチールケーブルは前記ケーブルスリーブを通過し，前記ハスプ内に固定され，前記ケーブルスリーブは防水機能を有する；前記滑り止めチェーンは前記ラチェットロック上に接続される。
【００１６】
前述したようなラチェット式ロックバックルは可撓性接続物（例えばスノーチェーン）の自動締め付けに応用される。
【考案の効果】
【００１７】
本考案はスノーチェーンに用いられる自動ロック装置を提供する。該ラチェット式ロックバックルは自動車用スノーチェーンの迅速な取り付けに適用する。ロックバックル構造全体の体積は小さいため，操作する時に手袋を取り外す必要はない。ユーザーはボタンスイッチを片手で握って操作できるため，操作効率を向上させ且つ操作の精度を向上させる。それはスノーチェーン締め具合の自己調整及びチェーン長さの修正を実現することもできる。ハスプ装置全体は収納しやすい。 
【図面の簡単な説明】
【００１８】
【図１】本考案の具体的な実施例に係るスノーチェーンの適用のシナリオを示す図である。
【図２】本考案の具体的な実施例に係るラチェット式ロックバックルの構造模式図である。
【図３】本考案の具体的な実施例に係るラチェット式ロックバックルの分解構造を示す模式図である。
【図４】本考案の別の具体的な実施例に係るラチェット式ロックバックルの構造模式図
【考案を実施するための形態】
【００１９】
本考案はスノーチェーンに用いられる自動ロック装置を提供し，該ロックバックル構造は長さと締め具合を自動的に調整できるロック装置を有する。本考案の目的、技術的解決手段及び効果をより明確にするために，以下は図面及び実施例を参照して本考案についてさらに詳細に説明する。本明細書に記載の具体的な実施例は本考案を説明するのにのみ用いられ，本考案はこれらに限定されるものではないことは当然理解されるものである。
【００２０】
本考案の具体的な実施例が提供するスノーチェーンに用いられる自動ロック装置は図1示すとおりである。図1示すように，スノーチェーンに用いられる前記自動ロック装置は以下を含む：
ラチェット式ロックバックル100及び滑り止めチェーン200。前記滑り止めチェーン200は複数本設置され，前記ハスプ110及び前記ハウジング120の外部にそれぞれ固定され， 3つの方向に沿って延びている。
【００２１】
実際に使用するプロセスにおいて，ユーザーはリラックスボタン130を押して，ハスプ110を握って外へ引っ張ることができ，必要な距離に達する時にハスプを離す。ハスプ110は現在の位置に固定されることができる。その後，リラックスと制限用バックル160を押し，ラチェット式ロックバックル100はその上に固定されるスチールケーブル140を締め付け，スチールケーブル140はハスプ110を駆動して回収し，締め付け効果を達成し，それにより前記滑り止めチェーンを自動車タイヤに密着させる。
【００２２】
前記ラチェット式ロックバックル100はケーブルスリーブをさらに含むことができる。前記ケーブルスリーブ150は前記スチールケーブル出口の外側に嵌設される。前記スチールケーブルは前記ケーブルスリーブを通過し，前記ハスプ内に固定される。該ケーブルスリーブを設置することにより，ハスプ回収時にユーザーの指を打つことを防止し及びハスプ回収時に発生する衝撃力を緩衝することができる。前記ハスプ110は先に111と112の2つの部分をつなぎ合わせ，その後つなぎ合わせられた111と112をリベット113により固定してなることができる。該リベットはハングバックルの掛けの役割を果たすことができる。
【００２３】
本実施例では，前記ラチェット式ロックバックル100はプラスチック又は他のタイプの異なる金属を使用して製作してなることができる。
【００２４】
図2は本考案の実施例が提供するラチェット式ロックバックルの構造模式図である。図2示すように，前記ラチェット式ロックバックルは以下を具体的に含む：ハウジング101、エネルギー貯蔵用弾性部材102、回転ラチェット103、ロックバックル104、リラックスボタン105、回転バックル106及びリラックスと制限用バックル107。
ここで，前記ハウジング101は前記ハウジングの底部に垂直に設置される第一回転軸1011と第二回転軸1012を含む。前記エネルギー貯蔵用弾性部材102は前記第一回転軸1011上に嵌設される。
【００２５】
図3示すように，前記回転ラチェット103のエッジには制限歯1031と位置決め歯1032がそれぞれ設置される。前記回転ラチェットの中心には前記第一回転軸1011が通過するための軸孔1033が設置され，それにより前記回転ラチェットを前記第一回転軸に沿って回転させることができる。
前記ロックバックル104には第二回転軸に適合する貫通孔1041が設置される。前記ロックバックル104の一端は前記制限歯と噛合し，前記回転ラチェットの正回転を制限する固定歯1042をさらに含む。
前記リラックスボタン105の一端は前記ロックバックルの固定歯から離れた一端と当接している。ラチェット式ロックバックルはリラックスボタンが押されるとともに、前記ロックバックルを駆動して前記回転ラチェットから離脱させ，前記回転ラチェットを正方向に回転させることができる。
前記回転バックル106は前記リラックスボタン105の末端と接しており，前記リラックスボタンが押されるとともに前記位置決め歯内に係止され，前記回転ラチェットの逆回転を制限し，エネルギー貯蔵ばねを圧縮保持する。
前記リラックスと制限用バックル107は前記リラックスボタン105と接しており，前記リラックスと制限用バックルが押される時に，前記リラックスボタン105を駆動してリセットさせる。リセット後，回転バックル106は脱退し，回転ラチェットはエネルギー貯蔵ばねの駆動の下で回転して前記スチールケーブルを回収する。
【００２６】
他の実施例では，前記リラックスと制限用バックル、前記リラックスボタン及び前記ロックバックルのラチェット式ロックバックルにおける位置に対して鏡像調整をさらに行うことができる。図4は本考案の別の実施例が提供するラチェット式ロックバックルの構造模式図である。
【００２７】
図4示すように，前記リラックスと制限用バックルとリラックスボタンは軸線に沿って対称している他方の側に設置される。これに対応して，前記ロックバックルの固定歯は前記回転ラチェットをフックしてその正回転を制限する。勿論，当業者であれば実際の状況に従って，本考案の実施例に開示された動作原理に基づいて，ラチェット式ロックバックル内の各構造部材の位置を調整することもできる。
【００２８】
具体的には，図3示すように，前記ロックバックル104は以下を含む：第一端及び前記第一端に対向する第二端。前記第二端の回転ラチェットに対向する片側には前記固定歯1042が設置され，前記第二端の他方の側はヘッドバネ104aを介して前記ハウジングに当接している。
前記貫通孔1041は前記第一端と第二端との間に設置され，それにより前記ロックバックルは前記第二回転軸の周りを回転できる。前記ヘッドバネ104aは締め付け状態で，固定歯1042と前記回転ラチェットとを互いに噛合させることができる。
【００２９】
図3は本考案の実施例が提供する前記ラチェット式ロックバックルの分解構造を示す模式図である。いくつかの実施例では，図3示すように，前記ハウジング101は上部ハウジング1014と下部ハウジング1015を含む。
前記上部ハウジングと下部ハウジングはリベット1013により固定的に接続され，前記第二回転軸はそのうちの1つのリベットである。前記ハウジングには前記回転ラチェットの水平接線の方向にスチールケーブル出口108が形成させる。本実施例では，前記リベット1013は5つ設置される。
好ましくは，前記ハウジングの外部には図3示すようなパターンと円形凹面がさらに設置されることができ，ユーザーが握る時に滑り止めの役割を果たす。
具体的には，前記制限歯1031は前記回転ラチェットの軸方向における上半分に設置され，前記位置決め歯1032は軸方向の下半分に設置され，前記制限歯と位置決め歯との間には溝1033が形成される。
スチールケーブルの一端は前記回転ラチェットの溝内に固定され，且つ前記回転ラチェットの回転に伴って前記回転ラチェットの溝内に巻き付けられて収容される。前記スチールケーブルの他端はハウジングにおけるスチールケーブル出口108を通過する。
【００３０】
いくつかの実施例では，図3示すように，前記リラックスボタン105の底部は第一圧縮ばね（すなわちリラックスボタンリ用のリターンスプリング）105bを介して前記回転ラチェットに当接している。前記回転バックル106の先端は第二圧縮ばね（回転バックル用の圧縮ばね）105aを介して前記リラックスボタンの底部に当接している。
上記圧縮ばねの設置を採用した後，リラックスボタンと回転バックルはいずれも自動リセットの機能を有し，且つ両者は相対移動可能であり，回転バックルはリラックスボタンの内部で動くことができる。
【００３１】
具体的には，図3示すように，前記エネルギー貯蔵用弾性部材102はスナップフィット結合されたエネルギー貯蔵ばねを選択することができる。前記エネルギー貯蔵ばねはカール状であり，両端が前記第一回転軸及びラチェットの内側側壁にそれぞれ当接している。最初はリラックス状態であり，回転ラチェットの正回転に伴って（スチールケーブルが引き出される）締め付けられる。そして回転ラチェットを駆動して逆回転させることによりスチールケーブルを締め付けることができる。
【００３２】
好ましくは，図3示すように，前記リラックスと制限用バックル及びリラックスボタンの上にはシールリング109がそれぞれ嵌設される。該シールリングを設置することにより，ある程度の防水性能を提供できる。上部ハウジングと下部ハウジングは内蔵式溶接ワイヤを介して，超音波溶接により接続されて固定されることもできる。
【００３３】
以下は図2-図3を参照して，前記ラチェット式ロックバックルの作動原理を詳細に説明する：
まず，ユーザーがリラックスボタン105を押した後，ロックバックルの固定歯1042は回転ラチェットの位置決め歯1032から離脱する。ハスプを介して，スチールケーブルを一定の距離まで引き出すことができる。
【００３４】
同時に，リラックスボタン105の内部には逆止めバックル106が含まれる。リラックスボタン105が押されると，逆止めバックル106は大きな回転歯上の制限歯1031をスナップフィットし，それによりスチールケーブルが後退するのを防止できる。また，リラックスボタンが押された後，リラックスボタン用制限バックル107はリラックスボタン105をスナップフィットし，それにより回転バックルのリセットを防止できる。
【００３５】
リラックスボタン用制限バックル107が押されると，リラックスボタン用制限バックルはばねの圧力下で制限バックルを固定用リベットの周りに回転させ，制限バックルヘッドの2つの歯は大きな回転歯側の位置決め歯と噛み合い，制限バックルのテールはリラックスボタンを押して外側に移動させる。リラックスボタン内の回転バックルは回転ラチェットを制限する代わりに，リラックスボタンとともに脱退する。
【００３６】
回転ラチェットは内部エネルギー貯蔵ばねの駆動下で回転し，スチールケーブルの回収を開始する。スチールケーブルはケーブルスリーブを介してハウジングに接続され，ハスプはスチールケーブルを介して回転ラチェットに接続される。
【００３７】
ここで，ハウジングとハスプはそれぞれリベットにより固定される。前記回転ラチェットはエネルギー貯蔵ばねの駆動下で回転でき且つスチールケーブルを締め付けることができる。ここで，前記位置決め歯は前記回転ラチェットを位置決めすることができ，前記制限歯は回転ラチェットの回転角度を制限してスチールケーブルの長さを固定する機能を達成することができる。
【００３８】
前記リラックスボタンはロックバックルを大きな回転歯から離脱させるに用いられ，前記リラックスボタン用制限バックルはリラックスボタンをロックするのに用いられ，前記ケーブルスリーブは締め付けられたハスプを保護するために使用される。前記ケーブルスリーブは水の浸入と手の傷害を防止する機能を有する。
前記ケーブルスリーブは水の浸入と手の傷害を防止する機能をさらに有する。
【００３９】
要するに，本考案の実施例が提供するラチェット式ロックバックルの制御方法は側面の2つのボタンを押すことにより該ラチェット式ロックバックルへの制御を完了するものであり（スチールケーブル長さの調整範囲が200ミリメートル程度を達成できる），すなわち本考案の実施例が提供するロック装置の制御方法は従来の分けとツイストなどの操作動作と異なり，ボタンを押すという操作動作により該装置への制御を完了するものである。押すという動作は操作が簡単であるため，片手で操作することができる。寒い季節には手袋を取り外さずに容易に取り付けることができ，構造全体はシンプルで信頼性が高く，利用者がコントロールアクションをする際の使用上の習慣に適合する。
【００４０】
当業者であれば，本考案の技術的解決手段及び本考案のデザインに従って本考案に対して同等の置換又は変更を行うことが可能であり，これらのすべての変更又は置換はいずれも本考案の実用新案登録請求の範囲内として保護されるべきものであることは理解することができる。
【符号の説明】
【００４１】
１００：ラチェット式ロックバックル
１０１：ハウジング
１０２：エネルギー貯蔵用弾性部材
１０３：回転ラチェット
１０４：ロックバックル
１０４ａ:ヘッドバネ
１０５：リラックスボタン
１０５ｂ：第一圧縮ばね（すなわちリラックスボタンリ用のリターンスプリング）
１０５ａ：第二圧縮ばね（回転バックル用の圧縮ばね）
１０６：逆止めバックル
１０６：回転バックル
１０７：リラックスと制限用バックル
１０８：スチールケーブル出口
１０９：シールリング
１１０：ハスプ
１１１及び１１２：つなぎ合わせられた部分
１１３：リベット
１２０：ハウジング
１３０：リラックスボタン
１４０：スチールケーブル
１５０：ケーブルスリーブ
１６０：制限用バックル
２００：滑り止めチェーン
１０１１：第一回転軸
１０１２：第二回転軸
１０１３：リベット
１０１４：上部ハウジング
１０１５：下部ハウジング
１０３１：制限歯
１０３２：位置決め歯
１０３３：軸孔
１０３３：溝
１０４１：貫通孔
１０４２：固定歯
【図１】
0003218752.tif 000003
【図２】
0003218752.tif 000004
【図３】
0003218752.tif 000005
【図４】
0003218752.tif 000006
【手続補正書】
【提出日】平成30年9月6日(2018.9.6)
【手続補正１】
【補正対象書類名】実用新案登録請求の範囲
【補正対象項目名】全文
【補正方法】変更
【補正の内容】
【実用新案登録請求の範囲】
【請求項１】
スノーチェーンに用いられる自動ロック装置であって，その特徴は，以下を含むことである：
ハウジングであって，前記ハウジングは前記ハウジングの底部に垂直に設置される第一回転軸と第二回転軸を含むもの；
前記第一回転軸上に嵌設されたエネルギー貯蔵用弾性部材；
回転ラチェットであって，前記回転ラチェットのエッジには制限歯と位置決め歯がそれぞれ設置され，前記回転ラチェットの中心には前記第一回転軸が通過するための軸孔が設置されるもの；
ロックバックルであって，前記ロックバックル上には第二回転軸に適合する貫通孔が設置され，前記ロックバックルの一端は前記制限歯と噛合し，且つ前記回転ラチェットの正回転を制限する固定歯をさらに含むもの；
リラックスボタンであって，前記リラックスボタンの一端は前記ロックバックルの固定歯から離れた一端に当接し，リラックスボタンが押されるとともに前記ロックバックルを駆動して前記回転ラチェットから離脱させるもの；
回転バックルであって，前記回転バックルは前記リラックスボタンの末端と接しており，前記リラックスボタンが押されるとともに前記位置決め歯内に係止され，前記回転ラチェットの逆回転を制限するもの；
リラックスと制限用バックルであって，前記リラックスと制限用バックルは前記リラックスボタンと接しており，前記リラックスと制限用バックルを押す時に，リラックスボタン内部のばねは前記リラックスボタンを駆動してリセットさせるもの。
【請求項２】
請求項１記載のスノーチェーンに用いられる自動ロック装置であって，その特徴は，前記制限歯は前記回転ラチェットの軸方向における上半分に設置され，前記位置決め歯は軸方向の下半分に設置される；前記制限歯と位置決め歯との間には溝が形成されることである。
【請求項３】
請求項１記載のスノーチェーンに用いられる自動ロック装置であって，その特徴は以下のとおりである：前記リラックスボタンの底部と前記回転ラチェットは第一圧縮ばねを介して当接している；
前記回転バックルの先端は第二圧縮ばねを介して前記リラックスボタンの底部に当接している。
【請求項４】
請求項１記載のスノーチェーンに用いられる自動ロック装置であって，その特徴は以下のとおりである：前記ロックバックルは回転ラチェットから離れた第一端及び前記第一端に対向する第二端を含む；前記第二端の回転ラチェットに対向する片側には前記固定歯が設置され，前記第二端の他方の側はヘッドバネを介して前記ハウジングに当接している；
前記貫通孔は前記第一端と第二端との間に設置され，それにより前記ロックバックルを前記第二回転軸の周りに回転させる。
【請求項５】
請求項１記載のスノーチェーンに用いられる自動ロック装置であって，その特徴は以下のとおりである：前記エネルギー貯蔵用弾性部材はスナップフィット結合されたエネルギー貯蔵ばねである；
前記エネルギー貯蔵ばねの両端はそれぞれ前記第一回転軸と前記軸孔の内側側壁に当接している。
【請求項６】
請求項１記載のスノーチェーンに用いられる自動ロック装置であって，その特徴は以下のとおりである：前記ハウジングは上部ハウジングと下部ハウジングを含む；前記上部ハウジングと下部ハウジングはリベットにより固定的に接続され，前記第二回転軸はリベットである；
前記ハウジングには前記回転ラチェットの水平接線の方向に，スチールケーブル出口が形成される。
【請求項７】
請求項１記載のスノーチェーンに用いられる自動ロック装置であって，その特徴は，前記リラックスと制限用バックル及びリラックスボタン上にはシールリングがそれぞれ嵌設されることである。
【請求項８】
請求項６に記載のスノーチェーンに用いられる自動ロック装置であって，その特徴は以下のとおりである：スチールケーブルを含む；
前記スチールケーブルの一端が前記回転ラチェットの溝内に固定され，且つ前記回転ラチェットの回転とともに前記回転ラチェットの溝内に巻き付けられて収容される；前記スチールケーブルの他端は前記スチールケーブル出口を通過する。